(57)【特許請求の範囲】
【請求項１】
グループ通話を可能にする通信システムであって、
前記通信システムは、呼制御サーバーとメッセージ送信サーバーとを備え、
前記呼制御サーバーは、    
グループ通話メンバーを呼び出すための第１呼出要求を受信する呼出要求受信部と、
受信された前記第１呼出要求に基づいて、前記第１呼出要求に対応する前記グループ通話メンバーを呼び出すための第２呼出要求を生成する呼出要求生成部と、
生成された前記第２呼出要求を前記グループ通話メンバーに送信するに先立て、前記第１呼出要求を受信したことを示す呼出要求受信情報を送信する呼出要求送信部とを備え、
前記メッセージ送信サーバーは、
前記呼制御サーバーから送信された前記呼出要求受信情報を受信する情報受信部と、
受信された前記呼出要求受信情報に基づいて、前記グループ通話を実行するアプリケーションを起動させる起動メッセージに前記グループ通話のメンバー識別情報を含めて前記グループ通話メンバーに送信する起動メッセージ送信部とを備えることを特徴とする通信システム。
【請求項２】
着信を拒否する着信拒否の識別情報を記憶する記憶部と、
メッセージ送信サーバーからグループ通話用システムへのログイン処理を起動させる起動メッセージを受信する受信部と、
受信された前記起動メッセージに含まれている識別情報が前記着信拒否の識別情報に含まれている場合には、前記起動メッセージに前記着信拒否の識別情報が含まれることを表示する表示部と
を備えることを特徴とする無線通信端末。
【請求項３】
前記起動メッセージに前記着信拒否の識別情報が含まれている場合には、前記グループ通話用システムへの前記ログイン処理を起動させないように制御する制御部を備えることを特徴とする請求項２に記載の無線通信端末。
【請求項４】
グループ通話を開始するための起動メッセージであり、且つグループ通話用システムへのログイン処理を起動させる該起動メッセージに含まれている前記グループ通話のメンバー識別情報と、前記グループ通話システムへの前記ログイン処理後に通知された前記グループ通話のメンバー識別情報とに基づいて、前記ログイン処理後に通知された前記メンバー識別情報と前記起動メッセージに含まれている前記メンバー識別情報とに差異がある場合には、その旨を表示することを特徴とする表示制御方法。
【発明の詳細な説明】
【技術分野】
【０００１】
本発明は、１の無線通信端末に複数の無線通信端末との間で同時に通話を実行させることができる通信システム、その通信システムで用いられる無線通信端末及び表示制御方法に関する。
【背景技術】
【０００２】
近年、携帯電話システムでは、１の無線通信端末（携帯電話機など）が、従来のトランシーバーのように複数の無線通信端末と同時に通話を行うグループ通話機能を提供する音声通話サービスの１つとして、ＰＴＴ（push-to-talk）サービスが提供されている（例えば、特許文献１参照）。ＰＴＴサービスでは、グループ通話に参加している複数の無線通信端末のうちの１の端末のユーザーが端末のボタンを押しながら発話すると、当該グループ通話に参加している他の無線通信端末に向けて当該発話に係る音声データが送信される。
【０００３】
ところで、ＳＩＰ（Session Initiation Protocol）を用いたＰＴＴサービスでは、既にグループ通話に参加している複数の無線通信端末の識別情報（以下、電話番号、ＩＰアドレス又はユーザー名等のメンバー識別情報）を、これからグループ通話に参加する相手先端末に表示するサービスも行われている。
【０００４】
具体的には、先ず、既にグループ通話に参加している複数の無線通信端末（例えば、無線通信端末＃Ａ,＃Ｂ,＃Ｃ）のうちの何れかの端末（発信端末）が、グループ通話に参加していない相手先端末を呼び出すための呼出要求（INVITE Request）をＳＩＰサーバーに送信する。
【０００５】
ＳＩＰサーバーは、発信端末から受信した呼出要求（INVITE Request）に基づいて、相手先端末宛の呼出要求（INVITE Request）を生成する。ＳＩＰサーバーは、相手先端末からの要求により相手先端末の位置登録をする等のログイン処理が完了した後に、生成した呼出要求（INVITE Request）を相手先端末に送信する。
【０００６】
これにより、相手先端末は、ＳＩＰサーバーから受信した呼出要求（INVITE Request）に含まれているメンバー識別情報（例えば、無線通信端末＃Ａ,＃Ｂ,＃Ｃの電話番号、ユーザー名など）を表示している。
【特許文献１】特表２００５−５３５１５６号公報
【発明の開示】
【発明が解決しようとする課題】
【０００７】
しかしながら、上記相手先端末は、ＳＩＰサーバーに対するログイン処理を完了しなければ、ＳＩＰサーバーからの呼出要求（INVITE Request）を受信することができないため、当該ログイン処理を実行する分、ＳＩＰサーバーからの呼出要求（INVITE Request）に含まれているメンバー識別情報を迅速に取得することができない。
【０００８】
また、相手先端末は、常時、ＳＩＰサーバーと通信可能な状態であるとは限らないため、ＳＩＰサーバーに対するログイン処理を完了することができない場合がある。この場合には、相手先端末は、ＳＩＰサーバーからの呼出要求（INVITE Request）を受信するまでには相当の時間を要することとなり、当該呼出要求（INVITE Request）に含まれているメンバー識別情報を益々迅速に取得することができない。
【０００９】
そこで、本発明は以上の点に鑑みてなされたものであり、相手先端末がＳＩＰサーバーに対するログイン処理を実行していない場合であっても、当該相手先端末がメンバー識別情報を迅速に取得することができる通信システム、無線通信端末及び表示制御方法を提供することを目的とする。
【課題を解決するための手段】
【００１０】
上記課題を解決するために、本発明の第１の特徴は、グループ通話を可能にする通信システムであって、前記通信システムは、呼制御サーバー（例えば、ＳＩＰサーバー１００）とメッセージ送信サーバー（例えば、ＳＭＳサーバー２００）とを備え、前記呼制御サーバーは、グループ通話メンバーを呼び出すための第１呼出要求を受信する呼出要求受信部（例えば、呼出要求受信部１０３）と、受信された前記第１呼出要求に基づいて、前記第１呼出要求に対応する前記グループ通話メンバーを呼び出すための第２呼出要求を生成する呼出要求生成部（例えば、呼出要求生成部１０７）と、生成された前記第２呼出要求を前記グループ通話メンバーに送信するに先立て、前記第１呼出要求を受信したことを示す呼出要求受信情報を送信する呼出要求送信部（例えば、呼出要求送信部１０９）とを備え、前記メッセージ送信サーバーは、前記呼制御サーバーから送信された前記呼出要求受信情報を受信する情報受信部（例えば、情報受信部２０１）と、受信された前記呼出要求受信情報に基づいて、前記グループ通話を実行するアプリケーションを起動させる起動メッセージに前記グループ通話のメンバー識別情報を含めて前記グループ通話メンバーに送信する起動メッセージ送信部（例えば、起動メッセージ送信部２０３）とを備えることを要旨とする。
【００１１】
かかる特徴によれば、起動メッセージがメンバー識別情報を含むため、無線通信端末は、呼制御サーバーに対するログイン処理を実行しない場合であっても、当該ログイン処理の前に受信する起動メッセージによりメンバー識別情報を迅速に取得することができる。
【００１２】
本発明の第２の特徴は、着信を拒否する着信拒否の識別情報を記憶する記憶部と、メッセージ送信サーバーからグループ通話用システムへのログイン処理を起動させる起動メッセージを受信する受信部と、受信された前記起動メッセージに含まれている識別情報が前記着信拒否の識別情報に含まれている場合には、前記起動メッセージに前記着信拒否の識別情報が含まれることを表示する表示部とを備えることを要旨とする。
【００１３】
かかる特徴によれば、無線通信端末は、起動メッセージに着信拒否の識別情報が含まれている場合には、起動メッセージに着信拒否の識別情報が含まれることを表示する。これにより、無線通信端末のユーザーは、グループ通話に自己にとって拒否したいユーザーが含まれていることを認識することができ、発信端末からの呼び出しに対して応答するか否かの判断を適切にすることができる。
【００１４】
本発明の第３の特徴は、前記起動メッセージに前記着信拒否の識別情報が含まれている場合には、前記グループ通話用システムへの前記ログイン処理を起動させないように制御する制御部を備えることを要旨とする。
【００１５】
かかる特徴によれば、無線通信端末は、起動メッセージを受信してから、グループ通話に拒否対象者が含まれることとなった場合には、グループ通話用システムへの不必要なログイン処理を実行しないようにすることができる。
【００１６】
本発明の第４の特徴は、グループ通話を開始するための起動メッセージであり、且つグループ通話用システムへのログイン処理を起動させる該起動メッセージに含まれている前記グループ通話のメンバー識別情報と、前記グループ通話システムへの前記ログイン処理後に通知された前記グループ通話のメンバー識別情報とに基づいて、前記ログイン処理後に通知された前記メンバー識別情報と前記起動メッセージに含まれている前記メンバー識別情報とに差異がある場合には、その旨を表示することを要旨とする。
【００１７】
かかる特徴によれば、無線通信端末は、起動メッセージを受信してから、ログイン処理後にグループ通信システムから識別情報を受信するまでに、グループ通話の対象となっている無線通信端末の数に変化が生じた場合には、上記その旨を表示することができる。
【００１８】
これにより、無線通信端末のユーザーは、グループ通話の対象となっている無線通信端末の数に変化が生じたことを把握した上で、グループ通話に参加するか否か判断することができ、所望するユーザーとより適切に会話をすることができる。
【発明の効果】
【００１９】
本発明の特徴によれば、無線通信端末がＳＩＰサーバーに対するログイン処理を実行していない場合であっても、当該無線通信端末がメンバー識別情報を迅速に取得することができる。
【発明を実施するための最良の形態】
【００２０】
[第１実施形態]
（通信システム）
図１及び図４を参照しながら、本実施形態に係る通信システムの構成について説明する。
【００２１】
図１に示すように、通信システムは、ＳＩＰサーバー１００と、ＳＭＳ（Short Message Service）サーバー２００とを備えている。また、本実施形態に係る無線通信端末３００Ａ乃至３００Ｃは、無線パケットネットワーク４００ａ及び回線交換ネットワーク４００ｂを介して、ＳＩＰサーバー１００及びＳＭＳサーバー２００に接続可能に構成されている。
【００２２】
ＳＩＰサーバー１００は、１の無線通信端末（例えば、無線通信端末＃Ａ）が複数の無線通信端末（例えば、無線通信端末＃Ｂ,＃Ｃ）と同時に行う通話であるグループ通話に参加していない無線通信端末（例えば、無線通信端末＃Ｄ；相手先端末）のログイン処理を完了した後に、当該無線通信端末（相手先端末）を呼び出す呼制御サーバーである。なお、当該相手先端末は、グループ通話メンバーを構成する。
【００２３】
図２に示すように、ＳＩＰサーバー１００は、ログイン処理部１０１と、呼出要求受信部１０３と、メンバー情報管理部１０５と、呼出要求生成部１０７と、呼出要求送信部１０９とを備えている。
【００２４】
ログイン処理部１０１は、無線通信端末３００からの要求により、当該無線通信端末の位置登録（ＩＰアドレス,電話番号,又はユーザーＩＤなどの登録）を行うなどのログイン処理を実行する。
【００２５】
呼出要求受信部１０３は、グループ通話に参加していない無線通信端末（例えば、無線通信端末＃Ｄ；相手先端末）を呼び出すための第１呼出要求（INVITE Request；後述する図６に示すＳ２０１参照）を受信する。
【００２６】
メンバー情報管理部１０５は、ログイン処理が完了している無線通信端末の識別情報を管理する。当該識別情報には、無線通信端末の電話番号、ＩＰアドレス、又はユーザー名などが含まれている。
【００２７】
呼出要求生成部１０７は、受信された第１呼出要求に基づいて、第１呼出要求に対応する無線通信端末（例えば、無線通信端末＃Ｄ；相手先端末）宛の第２呼出要求（INVITE Request；後述する図６に示すＳ２１１参照）を生成する。
【００２８】
呼出要求送信部１０９は、生成された第２呼出要求を無線通信端末（例えば、無線通信端末＃Ｄ；相手先端末）に送信するに先立て、第１呼出要求を受信したことを示す呼出要求受信情報をＳＭＳサーバー２００に送信する。
【００２９】
本実施形態における呼出要求受信情報は、グループ通話のメンバー識別情報を含んでいる。メンバー識別情報は、未グループ通話端末又はグループ通話端末の識別情報である。ここで、未グループ通話端末は、未だグループ通話に参加していないが、発信端末に呼び出されている無線通信端末（相手先端末）及び第１呼出要求の発信元の発信端末により構成されている。グループ通話端末は、発信端末及び発信端末とのグループ通話に参加している無線通信端末により構成されている。
【００３０】
ＳＩＰサーバー１００は、第１呼出要求（INVITE Request）の宛先の無線通信端末（相手先端末）からの要求により、当該無線通信端末（相手先端末）のログイン処理が完了したときに、ＳＩＰサーバー１００による第１呼出要求（INVITE Request）の受信時においてグループ通話の対象になっているグループ通話端末又は未グループ通話の識別情報（メンバー識別情報）と、当該第１呼出要求（INVITE Request）の受信時の後から第２呼出要求の送信時までにおいてグループ通話の対象になっているグループ通話端末又は未グループ通話の識別情報（メンバー識別情報）とが異なる場合には、当該未グループ通話端末又はグループ通話端末の数に変化が生じたことを示す変化情報を含む当該第２呼出要求（INVITE Request）を無線通信端末（例えば、無線通信端末＃Ｄ；相手先端末）に送信する。
【００３１】
当該変化情報には、ＳＩＰサーバー１００による第１呼出要求の受信時の後から第２呼出要求の送信時までのメンバー識別情報（例えば、無線通信端末＃Ａ,＃Ｂの識別情報）を示す情報が含まれる。
【００３２】
又は、変化情報には、ＳＩＰサーバー１００による第１呼出要求の受信時のメンバー識別情報（例えば、無線通信端末＃Ａ,＃Ｂ,＃Ｃの識別情報）のうち、ＳＩＰサーバー１００による第１呼出要求の受信時よりも後のメンバー識別情報（例えば、無線通信端末＃Ａ,＃Ｂの識別情報）を除く無線通信端末の識別情報（例えば、無線通信端末＃Ｃの識別情報）を示す情報が含まれる。
【００３３】
ＳＭＳサーバー２００は、メッセージサービス（ショートメッセージサービス）を提供する。なお、ＳＭＳサーバー２００は、メッセージ送信サーバーを構成する。
【００３４】
図３に示すように、ＳＭＳサーバー２００は、情報受信部２０１と、起動メッセージ送信部２０３とを備えている。
【００３５】
情報受信部２０１は、ＳＩＰサーバー１００から送信された呼出要求受信情報を受信する。
【００３６】
起動メッセージ送信部２０３は、受信された呼出要求受信情報に基づいて起動メッセージを無線通信端末（例えば、無線通信端末＃Ｄ；相手先端末）に送信する。当該起動メッセージは、グループ通話を実行するアプリケーションを起動させるメッセージである。又は、起動メッセージは、ＳＩＰサーバー１００（グループ通話用システム）へのログイン処理を起動させるメッセージである。
【００３７】
本実施形態における起動メッセージは、呼出要求受信情報に含まれているメンバー識別情報と同一のメンバー識別情報を含んでいる。
【００３８】
無線通信端末３００Ａ乃至３００Ｃのそれぞれは、ＳＩＰ手順に従ってグループ通話に参加することができる。無線通信端末３００Ａ乃至３００Ｃの構成は基本的に同一である。このため、以下では無線通信端末３００Ａ乃至３００Ｃを無線通信端末３００と表記して、無線通信端末３００Ａ乃至３００Ｃの構成について説明する。
【００３９】
図４に示すように、無線通信端末３００は、通信処理部３０１と、スピーカー３０２と、マイクロホン３０３と、カメラ３０４と、情報表示部３０５と、音声変調／復調部３０６と、画像変調／復調部３０７と、記憶部３０８とを備えている。
【００４０】
通信処理部３０１は、ＳＩＰ手順に従って、グループ通話開始後にグループ通話中の無線通信端末がグループ通話に参加していない無線通信端末（相手先端末）を呼び出すための第１呼出要求（INVITE Request）を当該無線通信端末（相手先端末）宛に送信する。
【００４１】
通信処理部３０１若しくは制御部３０９は、ＳＩＰ手順に従って、ＳＩＰサーバー１００に対するログイン処理を実行する。
【００４２】
通信処理部３０１は、ＳＭＳサーバー２００から受信した起動メッセージに含まれている識別情報と、ＳＩＰサーバー１００から受信した第２呼出要求（INVITE Request）に含まれている変化情報とに基づいて、未グループ通話端末又は前記グループ通話端末の数に変化が生じたことを示す不一致情報を情報表示部３０５に表示する。当該不一致情報には、グループ通話から抜けた無線通信端末の識別情報、又はその数などが含まれている。
【００４３】
例えば、通信処理部３０１は、受信した起動メッセージに含まれているメンバー識別情報と、ＳＩＰサーバー１００（グループ通話システム）へのログイン処理後に通知されたメンバー識別情報（変化情報）とに基づいて、ログイン処理後に通知されたメンバー識別情報と起動メッセージに含まれているメンバー識別情報とに差異がある場合には、その旨を不一致情報として表示する。
【００４４】
なお、通信処理部３０１は、ＳＩＰ手順に従って、グループ通話中以外の無線通信端末がグループ通話に参加していない無線通信端末（相手先端末）を呼び出すための第１呼出要求（INVITE Request）を当該無線通信端末（相手先端末）宛に送信してもよい。
【００４５】
スピーカー３０２は、音（音声、楽曲など）を出力する。マイクロホン３０３は、無線通信端末３００の周辺の音を取得する。カメラ３０４は、被写体に対応する画像データを生成する。
【００４６】
情報表示部３０５は、文字、画像、後述するメンバー識別情報などの情報を表示する。音声変調／復調部３０６は、受信されたパケットに含まれている音声データをデコードしたり、マイクロホン３０３等により取得された音データをエンコードする。
【００４７】
画像変調／復調部３０７は、受信されたパケットに含まれている画像データをデコードしたり、カメラ３０４等により生成された画像データをエンコードする。記憶部３０８は、受信されたメンバー識別情報などを記憶する。
【００４８】
（通信方法）
本実施形態に係る通信方法について説明する。先ず、グループ通話に参加していない無線通信端末＃Ａ、無線通信端末＃Ｂ及び無線通信端末＃Ｃのうちの無線通信端末＃Ａ（発信端末）が、無線通信端末＃Ｂ（相手先端末）及び無線通信端末＃Ｃ（相手先端末）宛の第１呼出要求（INVITE Request）を送信した場合の本実施形態に係る通信方法について図５を参照しながら説明する。以下に示す未グループ通話端末（これからグループ通話を開始する端末）は、無線通信端末＃Ａ、無線通信端末＃Ｂ及び無線通信端末＃Ｃにより構成されるものとして説明する。
【００４９】
図５に示すように、Ｓ１０１において、無線通信端末＃Ａは、無線通信端末＃Ｂ及び無線通信端末＃Ｃ宛の第１呼出要求（INVITE Request（Ｂ,Ｃ））をＳＩＰサーバー１００に送信する。
【００５０】
当該第１呼出要求（INVITE Request（Ｂ,Ｃ））には、未グループ通話端末の識別情報であるメンバー識別情報が含まれている。ここではメンバー識別情報には、第１呼出要求（INVITE Request（Ｂ,Ｃ））の発信元の無線通信端末＃Ａの識別情報と、第１呼出要求（INVITE Request（Ｂ,Ｃ））の宛先の無線通信端末＃Ｂ及び無線通信端末＃Ｃの識別情報とが含まれている。
【００５１】
Ｓ１０３において、ＳＩＰサーバー１００は、無線通信端末＃Ａから受信した第１呼出要求（INVITE Request（Ｂ,Ｃ））に基づいて、無線通信端末＃Ａから無線通信端末＃Ｂ及び無線通信端末＃Ｃ宛の第１呼出要求（INVITE Request（Ｂ,Ｃ））を受信したことを示す呼出要求受信情報をＳＭＳサーバー２００に送信する。
【００５２】
当該呼出要求受信情報には、第１呼出要求（INVITE Request（Ｂ,Ｃ））に含まれているメンバー識別情報と同様のメンバー識別情報が含まれる。
【００５３】
Ｓ１０５において、ＳＭＳサーバー２００は、ＳＩＰサーバー１００から受信した呼出要求受信情報に基づいて、グループ通話を実行するアプリケーションを起動させる起動メッセージを無線通信端末＃Ｂに送信する。
【００５４】
当該起動メッセージには、呼出要求受信情報に含まれているメンバー識別情報と同様のメンバー識別情報が含まれている。
【００５５】
Ｓ１０７において、無線通信端末＃Ｂは、ＳＭＳサーバー２００から受信した起動メッセージに基づいて、グループ通話を実行するアプリケーションを起動させるとともに、当該起動メッセージにおけるメンバー識別情報に含まれている識別情報（例えば、無線通信端末＃Ａ,無線通信端末＃Ｃの識別情報）を表示する。
【００５６】
なお、無線通信端末＃Ｂは、設定されている電話帳を参照し、メンバー識別情報に含まれている識別情報に対応するユーザー情報（無線通信端末＃Ａ,無線通信端末＃Ｃのユーザー名など）を表示してもよい。
【００５７】
Ｓ１０９において、ＳＭＳサーバー２００は、上記Ｓ１０５の処理と同様に、ＳＩＰサーバー１００から受信した呼出要求受信情報に基づいて、グループ通話を実行するアプリケーションを起動させる起動メッセージを無線通信端末＃Ｃに送信する。
【００５８】
当該起動メッセージには、呼出要求受信情報に含まれているメンバー識別情報と同様のメンバー識別情報が含まれている。
【００５９】
Ｓ１１１において、無線通信端末＃Ｃは、上記Ｓ１０７の処理と同様に、ＳＭＳサーバー２００から受信した起動メッセージに基づいて、グループ通話を実行するアプリケーションを起動させるとともに、当該起動メッセージにおけるメンバー識別情報に含まれている識別情報（例えば、無線通信端末＃Ａ,無線通信端末＃Ｂの識別情報）を表示する。
【００６０】
Ｓ１１３において、無線通信端末＃Ｂは、ＳＭＳサーバー２００から受信した起動メッセージに基づいて、ＳＩＰサーバー１００に対するログイン処理を実行する。
【００６１】
Ｓ１１５において、無線通信端末＃Ｃは、ＳＭＳサーバー２００から受信した起動メッセージに基づいて、ＳＩＰサーバー１００に対するログイン処理を実行する。
【００６２】
Ｓ１１７において、ＳＩＰサーバー１００は、Ｓ１１３のログイン処理が完了した後に、無線通信端末＃Ａから受信した第１呼出要求（INVITE Request（Ｂ,Ｃ））に基づいて、当該第１呼出要求（INVITE Request（Ｂ,Ｃ））に対応する無線通信端末＃Ｂ宛の第２呼出要求（INVITE Request（Ａ））を生成し、生成した第２呼出要求（INVITE Request（Ａ））を無線通信端末＃Ｂに送信する。
【００６３】
Ｓ１１９において、ＳＩＰサーバー１００は、Ｓ１１５のログイン処理が完了した後に、無線通信端末＃Ａから受信した第１呼出要求（INVITE Request（Ｂ,Ｃ））に基づいて、当該第１呼出要求（INVITE Request（Ｂ,Ｃ））に対応する無線通信端末＃Ｃ宛の第２呼出要求（INVITE Request（Ａ））を生成し、生成した第２呼出要求（INVITE Request（Ａ））を無線通信端末＃Ｃに送信する。
【００６４】
Ｓ１２１において、ＳＩＰサーバー１００は、無線通信端末＃Ｂ,無線通信端末＃Ｃ宛の第２呼出要求（INVITE Request（Ｂ,Ｃ））に対する処理を実行していることを示す処理中情報（100 Trying）を無線通信端末＃Ａに送信する。
【００６５】
Ｓ１２３において、無線通信端末＃Ｂは、無線通信端末＃Ｂのユーザーを呼出中であることを示す呼出中情報（180 Ringing）をＳＩＰサーバー１００に送信する。
【００６６】
Ｓ１２５において、ＳＩＰサーバー１００は、無線通信端末＃Ｂから受信した呼出中情報（180 Ringing）を無線通信端末＃Ａに転送する。
【００６７】
Ｓ１２７において、無線通信端末＃Ｃは、無線通信端末＃Ｃのユーザーを呼出中であることを示す呼出中情報（180 Ringing）をＳＩＰサーバー１００に送信する。
【００６８】
Ｓ１２９において、ＳＩＰサーバー１００は、無線通信端末＃Ｃから受信した呼出中情報（180 Ringing）を無線通信端末＃Ａに転送する。
【００６９】
Ｓ１４１において、無線通信端末＃Ｂは、無線通信端末＃Ｂのユーザーが応答操作を所定期間内に行った場合には、第２呼出要求（INVITE Request（Ａ））に対する応答が成功したことを示す呼出成功情報（200 OK）をＳＩＰサーバー１００に送信する。なお、所定期間は、無線通信端末＃Ｂに備えられているタイマー等によって管理される。
【００７０】
Ｓ１４３において、ＳＩＰサーバー１００は、無線通信端末＃Ｂから受信した呼出成功情報（200 OK）を無線通信端末＃Ａに転送する。
【００７１】
Ｓ１４５において、無線通信端末＃Ａは、受信した呼出成功情報（200 OK）を受信したことを示すＡＣＫをＳＩＰサーバー１００に送信する。
【００７２】
Ｓ１４７において、ＳＩＰサーバー１００は、無線通信端末＃Ａから受信したＡＣＫを無線通信端末＃Ｂに転送する。
【００７３】
Ｓ１４９において、無線通信端末＃Ｂは、ＳＩＰサーバー１００から受信したＡＣＫに基づいて、無線通信端末＃Ａとの間でセッションを確立する。そして、無線通信端末＃Ｃも、上記Ｓ１４１乃至Ｓ１４９の応答処理Ａと同様の処理を実行する。これにより、無線通信端末＃Ａ乃至＃Ｃの相互間でセッションが確立されて、無線通信端末＃Ａ乃至＃Ｃのグループ通話が開始される。
【００７４】
一方、無線通信端末＃Ｂ及び無線通信端末＃Ｃが後述するＳ１５１乃至Ｓ１５７の未応答処理Ｂを実行した場合には、無線通信端末＃Ａ乃至＃Ｃのグループ通話は開始されない。具体的には以下の通りである。
【００７５】
Ｓ１５１において無線通信端末＃Ｂは、無線通信端末＃Ｂのユーザーが所定期間内に応答操作を行わない場合には、第２呼出要求（INVITE Request（Ａ））に対する応答が失敗したことを示す呼出失敗情報（4xx）をＳＩＰサーバー１００に送信する。
【００７６】
Ｓ１５３において、ＳＩＰサーバー１００は、無線通信端末＃Ｂから受信した呼出失敗情報（4xx）を無線通信端末＃Ａに転送する。
【００７７】
Ｓ１５５において、無線通信端末＃Ａは、呼出失敗情報（4xx）を受信したことを示すＡＣＫをＳＩＰサーバー１００に送信する。
【００７８】
Ｓ１５７において、ＳＩＰサーバー１００は、無線通信端末＃Ａから受信したＡＣＫを無線通信端末＃Ｂに転送する。
【００７９】
なお、無線通信端末＃Ｃも、無線通信端末＃Ａと同様に、無線通信端末＃Ｃのユーザーが所定期間内に応答操作を行わない場合には、上記Ｓ１５１乃至Ｓ１５７の応答処理Ｂを実行する。
【００８０】
なお、図５に示す通信方法については、無線通信端末＃Ａ、無線通信端末＃Ｂ及び無線通信端末＃Ｃを用いて説明しているが、これらの無線通信端末に限定されることはなく、４つ以上の無線通信端末を用いることによっても同様の処理を実現することができるのは勿論のことである。
【００８１】
次に、既にグループ通話（図６中の「グループ通話中」参照）に参加している無線通信端末＃Ａ乃至＃Ｃのうちの無線通信端末＃Ａ（発信端末）が、グループ通話に参加していない無線通信端末＃Ｄ（相手先端末）宛の第１呼出要求を送信した場合の本実施形態に係る通信方法について図６乃至図１０を参照しながら説明する。
【００８２】
図６に示すように、Ｓ２０１において、無線通信端末＃Ａは、無線通信端末＃Ｄ宛の第１呼出要求（INVITE Request（Ｄ））をＳＩＰサーバー１００に送信する。
【００８３】
Ｓ２０３において、ＳＩＰサーバー１００は、無線通信端末＃Ａから受信した第１呼出要求（INVITE Request（Ｄ））に基づいて、無線通信端末＃Ａから無線通信端末＃Ｄ宛の第１呼出要求（INVITE Request（Ｄ））を受信したことを示す呼出要求受信情報をＳＭＳサーバー２００に送信する。
【００８４】
ここで、Ｓ２０３においてＳＩＰサーバー１００は、第１呼出要求（INVITE Request）の発信元の無線通信端末＃Ａ（発信端末）と、無線通信端末＃Ａとのグループ通話に参加している無線通信端末＃Ｂ，＃Ｃとにより構成されるグループ通話端末の識別情報をメンバー識別情報として管理している場合を考える。
【００８５】
この場合には、ＳＩＰサーバー１００は、Ｓ２０３の処理で管理しているメンバー識別情報（無線通信端末＃Ａ乃至＃Ｃの識別情報）を呼出要求受信情報に含めて、当該呼出要求受信情報をＳＭＳサーバー２００に送信する。
【００８６】
一方、Ｓ２０３においてＳＩＰサーバー１００は、第１呼出要求（INVITE Request）の発信元の無線通信端末＃Ａ（発信端末）と、無線通信端末＃Ａとのグループ通話に参加している無線通信端末＃Ｂ，＃Ｃとにより構成されるグループ通話端末の識別情報をメンバー識別情報として管理していない場合を考える。
【００８７】
この場合には、ＳＩＰサーバー１００は、無線通信端末＃Ａから受信した第１呼出要求（INVITE Request（Ｄ））に含まれているメンバー識別情報（無線通信端末＃Ａ乃至＃Ｃ；図７に示すＭ参照）と同様のメンバー識別情報を呼出要求受信情報に含めて、当該呼出要求受信情報をＳＭＳサーバー２００に送信してもよい。
【００８８】
例えば、無線通信端末＃Ａは、グループ通話に参加している無線通信端末＃Ｂ,＃Ｃの識別情報を既に取得している場合には、無線通信端末＃Ａ,＃Ｂ,＃Ｃの識別情報からなるメンバー識別情報を第１呼出要求（INVITE Request（Ｄ））に含めて、当該第１呼出要求（INVITE Request（Ｄ））をＳＩＰサーバー１００に送信する。
【００８９】
そして、ＳＩＰサーバー１００は、無線通信端末＃Ａから受信した第１呼出要求（INVITE Request（Ｄ））に含まれているメンバー識別情報（無線通信端末＃Ａ,＃Ｂ,＃Ｃ）と同様のメンバー識別情報を呼出要求受信情報に含めて、当該呼出要求受信情報をＳＭＳサーバー２００に送信する。
【００９０】
一方、無線通信端末＃Ａは、無線通信端末＃Ａとのグループ通話に参加している無線通信端末＃Ｂ,＃Ｃの識別情報を取得していない場合には、当該無線通信端末＃Ｂ,＃Ｃの識別情報を無線通信端末＃Ｂ,＃Ｃから取得する。そして、無線通信端末＃Ａは、無線通信端末＃Ａ乃至＃Ｃの識別情報からなるメンバー識別情報を第１呼出要求（INVITE Request（Ｄ））に含めて、当該第１呼出要求（INVITE Request（Ｄ））をＳＩＰサーバー１００に送信する。
【００９１】
Ｓ２０５において、ＳＭＳサーバー２００は、ＳＩＰサーバー１００から受信した呼出要求受信情報に基づいて、グループ通話を実行するアプリケーションを起動させる起動メッセージを無線通信端末＃Ｄに送信する。
【００９２】
当該起動メッセージには、呼出要求受信情報に含まれているメンバー識別情報と同様のメンバー識別情報が含まれている。
【００９３】
Ｓ２０７において、無線通信端末＃Ｄは、ＳＭＳサーバー２００から受信した起動メッセージに基づいて、グループ通話を実行するアプリケーションを起動させるとともに、当該起動メッセージに含まれているメンバー識別情報（無線通信端末＃Ａ,＃Ｂ,＃Ｃの識別情報）を表示する。
【００９４】
なお、図８及び図９に示すように、無線通信端末＃Ｄは、設定されている電話帳を参照し、メンバー識別情報に対応するユーザー情報（無線通信端末＃Ａ,無線通信端末＃Ｂ,無線通信端末＃Ｃのユーザー名、電話番号など）を表示してもよい。
【００９５】
Ｓ２０９において、無線通信端末＃Ｄは、ＳＭＳサーバー２００から受信した起動メッセージに基づいて、ＳＩＰサーバー１００に対するログイン処理を実行する。
【００９６】
Ｓ２１１において、ＳＩＰサーバー１００は、Ｓ２０９のログイン処理が完了した後に、無線通信端末＃Ａから受信した第１呼出要求（INVITE Request（Ｄ））に基づいて、当該第１呼出要求（INVITE Request（Ｄ））に対応する無線通信端末＃Ｄ宛の第２呼出要求（INVITE Request（Ａ））を生成する。
【００９７】
また、ＳＩＰサーバー１００は、Ｓ２０９のログイン処理が完了したときに、ＳＩＰサーバー１００による第１呼出要求（INVITE Request（Ｄ））の受信時においてグループ通話の対象になっている未グループ通話端末（呼出を受けているが、グループ通話を開始していない端末を含む）又はグループ通話端末の識別情報（メンバー識別情報）と、当該第１呼出要求（INVITE Request（Ｄ））の受信時の後から第２呼出要求（INVITE Request（Ａ））の送信時までにおいて未グループ通話端末又はグループ通話端末の識別情報（メンバー識別情報）とが異なる場合には、当該未グループ通話端末又はグループ通話端末の数に変化が生じたことを示す変化情報を含む当該第２呼出要求（INVITE Request（Ａ））を生成する。
【００９８】
例えば、Ｓ２０１の時点ではグループ通話に無線通信端末＃Ａ,無線通信端末＃Ｂ,無線通信端末＃Ｃが参加していたが、その後、Ｓ２０１ａにおいて無線通信端末＃Ｃがグループ通話の参加を中断することを示すＢＹＥ情報をＳＩＰサーバー１００に送信した場合を考える。
【００９９】
この場合には、無線通信端末＃Ｃがグループ通話から抜けることとなり、ＳＩＰサーバー１００は、Ｓ２０１の時点のメンバー識別情報とＳ２１１の時点のメンバー識別情報とが異なるため、Ｓ２１１の時点のメンバー識別情報（無線通信端末＃Ａ,無線通信端末＃Ｂの識別情報）、又はＳ２０１の時点のメンバー識別情報とＳ２１１の時点のメンバー識別情報との差分の識別情報（無線通信端末＃Ｃの識別情報）を変化情報として生成し、生成した変化情報を含む第２呼出要求（INVITE Request（Ａ））を生成する。
【０１００】
また、ＳＩＰサーバー１００は、生成した第２呼出要求（INVITE Request（Ａ））を無線通信端末＃Ｄに送信する。
【０１０１】
Ｓ２１３において、無線通信端末＃Ｄは、ＳＩＰサーバー１００から受信した第２呼出要求（INVITE Request（Ａ））に基づいて、当該第２呼出要求（INVITE Request（Ａ））に含まれている変化情報と、起動メッセージに含まれているメンバー識別情報とに基づいて、グループ通話端末の数に変化が生じたことを示す不一致情報を表示する。
【０１０２】
これにより、無線通信端末＃Ｄのユーザーは、未グループ通話端末又はグループ通話端末のユーザーに変化が生じたことを把握した上で、グループ通話に参加するか否か判断することができ、所望するユーザーとより適切に会話をすることができる。
【０１０３】
例えば、起動メッセージに含まれているメンバー識別情報が、無線通信端末＃Ａ,無線通信端末＃Ｂ,無線通信端末＃Ｃの識別情報を含み、第２呼出要求（INVITE Request（Ａ））に含まれている変化情報が、Ｓ２１１の時点のメンバー識別情報である無線通信端末＃Ａ,無線通信端末＃Ｂの識別情報、又はＳ２０１の時点のメンバー識別情報とＳ２１１の時点のメンバー識別情報との差分の識別情報（無線通信端末＃Ｃの識別情報）を含む場合を考える。
【０１０４】
この場合には、無線通信端末＃Ｄは、Ｓ２０１の時点のメンバー識別情報に対してＳ２１１の時点のメンバー識別情報には無線通信端末＃Ｃの識別情報が含まれないこととなるため、無線通信端末＃ＣのユーザーＣが抜けた旨などの不一致情報を表示する（図１０参照）。
【０１０５】
Ｓ２１５乃至Ｓ２２３の処理は、図５に示すＳ１２１乃至Ｓ１５７の処理（但し、Ｓ１２７及びＳ１２９の処理を除く）と同一である。
【０１０６】
かかる特徴によれば、起動メッセージがメンバー識別情報を含むため、無線通信端末３００は、呼制御サーバーに対するログイン処理を実行しない場合であっても、当該ログイン処理の前に受信する起動メッセージによりメンバー識別情報を迅速に取得することができる。
【０１０７】
なお、図６に示す通信方法については、無線通信端末＃Ａ、無線通信端末＃Ｂ、無線通信端末＃Ｃ及び無線通信端末＃Ｄを用いて説明しているが、これらの無線通信端末に限定されることはなく、５つ以上の無線通信端末を用いることによっても同様の処理を実現することができるのは勿論のことである。
【０１０８】
なお、図６に示すＳ２１３の変更情報表示処理は、図５の通信方法において実行されてもよいのは勿論のことである。
【０１０９】
例えば、図５の通信方法においてＳＩＰサーバー１００は、Ｓ１１３又はＳ１１５のログイン処理が完了したときに、ＳＩＰサーバー１００による第１呼出要求の受信時のメンバー識別情報と、当該第１呼出要求の受信時の後から第２呼出要求の送信時までのメンバー識別情報とが異なる場合には、当該未グループ通話端末又はグループ通話端末の数に変化が生じたことを示す変化情報を含む当該第２呼出要求を生成する。Ｓ１１７又はＳ１１９においてＳＩＰサーバー１００は、生成した第２呼出要求を無線通信端末（無線通信端末＃Ｂ又は＃Ｃ；相手先端末）に送信する。
【０１１０】
そして、無線通信端末（無線通信端末＃Ｂ又は＃Ｃ；相手先端末）は、Ｓ１１７又はＳ１１９でＳＩＰサーバー１００から受信した第２呼出要求（INVITE Request（Ａ））に基づいて、当該第２呼出要求（INVITE Request（Ａ））に含まれている変化情報と、起動メッセージに含まれているメンバー識別情報とに基づいて、未グループ通話端末の数に変化が生じたことを示す不一致情報を表示する。
【０１１１】
［第２実施形態］
第２実施形態では、無線通信端末３００は、起動メッセージに含まれている各識別情報の中に、着信を拒否する着信拒否の識別情報が含まれている場合には、起動メッセージに着信拒否の識別情報が含まれていることを表示するという点で第１実施形態とは相違する。以下では、上記第１実施形態に係る通信システム及び通信方法との相違点について主に説明する。
【０１１２】
本実施形態に係る無線通信端末３００の記憶部３０８は、着信を拒否する着信拒否の識別情報を含む拒否リスト情報を記憶する。
【０１１３】
通信処理部３０１は、ＳＭＳサーバー２００から受信した起動メッセージに含まれている識別情報が拒否リスト情報に含まれている場合には、起動メッセージに着信拒否の識別情報が含まれていることを示す拒否端末情報を情報表示部３０５に表示する。
【０１１４】
例えば、通信処理部３０１は、ＳＭＳサーバー２００から受信した起動メッセージに含まれている各識別情報の中に、着信拒否の識別情報として、無線通信端末３００によって通話が拒否される拒否無線通信端末の識別情報が含まれている場合には、拒否端末情報を情報表示部３０５に表示する。
【０１１５】
制御部３０９は、受信した起動メッセージに含まれている識別情報が拒否リスト情報に含まれている場合には、ＳＩＰサーバー１００へのログイン処理を起動させないように制御する。例えば、制御部３０９は、ＳＩＰサーバー１００へのログイン処理の起動を中止する。
【０１１６】
次に、本実施形態に係る情報表示処理２について図１１乃至図１４を参照しながら説明する。なお、図５及び図６に示す情報表示処理１（Ｓ１０７,Ｓ１１１,Ｓ２０７）が、図１１及び図１２に示す情報表示処理２に置き換えられるため、図１１及び図１２に示す情報表示処理２以外の処理についての説明は図５及び図６の処理と同様である。
【０１１７】
図１１に示すように、Ｓ３０１において、無線通信端末３００（相手先端末）は、ＳＭＳサーバー２００から受信した起動メッセージに含まれているメンバー識別情報に基づいて、当該メンバー識別情報に含まれている発信端末の識別情報が、拒否リスト情報に含まれているか否か判定する。また、無線通信端末３００は、この判定がＹＥＳである場合にはＳ３０７の処理に移り、ＮＯである場合にはＳ３０３の処理に移る。
【０１１８】
Ｓ３０３において、無線通信端末３００は、発信端末の識別情報以外のメンバー識別情報と拒否リスト情報とを照合する。
【０１１９】
Ｓ３０４において、無線通信端末３００は、メンバー識別情報のうちの拒否リスト情報に含まれている識別情報とそれ以外の識別情報とを区別して表示する。
【０１２０】
例えば、発信端末の識別情報が「ユーザーＡ」であり、発信端末の識別情報以外のメンバー識別情報が「ユーザーＢ，ユーザーＣ」であり、拒否リスト情報が「ユーザーＢ」を含む場合を考える。
【０１２１】
この場合には、図１３に示すように、無線通信端末３００は、「ユーザーＢ」が拒否リスト情報に含まれているため、「ユーザーＢ」及び“×印（拒否端末情報）”を表示する。また、無線通信端末３００は、「ユーザーＡ，ユーザーＣ」が拒否リスト情報に含まれていないため、「ユーザーＡ，ユーザーＣ」及び“○印”を表示する。
【０１２２】
また、Ｓ３０７において、発信端末の識別情報「ユーザーＡ」が拒否リスト情報に含まれている場合には、無線通信端末３００は、メンバー識別情報の表示画面であるグループ通話着信画面を表示せず、ＳＩＰサーバー１００へのログイン処理も実行しない。そして、無線通信端末３００は、発信端末の識別情報やメンバー識別情報に基づいて着信履歴を更新する。
【０１２３】
かかる特徴によれば、無線通信端末３００は、受信した起動メッセージに含まれている識別情報が拒否リスト情報に含まれている場合には、上記拒否端末情報を表示する。このため、無線通信端末３００のユーザーは、表示された拒否端末情報を参照することにより、グループ通話に自己にとって拒否したいユーザーが含まれていることを認識することができ、発信端末からの呼び出しに対して応答するか否かの判断を適切にすることができる。
【０１２４】
図１１に示す情報表示処理２では、無線通信端末３００は、メンバー識別情報に含まれている「発信端末の識別情報」が、拒否リスト情報に含まれている場合には、そもそもグループ通話着信画面を表示していないが、これに限定されずに、以下に示す変更を加えてもよい。
【０１２５】
具体的には、無線通信端末３００は、メンバー識別情報に含まれている識別情報の「全て」が、拒否リスト情報に含まれている場合にのみ、グループ通話着信画面を表示せず、且つＳＩＰサーバー１００へのログイン処理を実行しなくてもよい。以下、図１２を参照しながら詳細に説明する。但し、図１２に示すＳ４０１乃至Ｓ４０５までの処理は、上記図１１に示すＳ３０１乃至Ｓ３０５までの処理と同一であるため、ここでの説明は省略する。
【０１２６】
図１２に示すように、Ｓ４０７において、無線通信端末３００は、発信端末の識別情報以外のメンバー識別情報と拒否リスト情報とを照合する。
【０１２７】
Ｓ４０９において、無線通信端末３００は、メンバー識別情報に含まれている識別情報の全てが、拒否リスト情報に含まれているか否か判定する。また、無線通信端末３００は、この判定がＹＥＳである場合にはＳ４１１の処理に移り、ＮＯである場合にはＳ４０５の処理に移る。
【０１２８】
Ｓ４１１において、無線通信端末３００は、メンバー識別情報に含まれている識別情報の全てが、拒否リスト情報に含まれているため、グループ通話着信画面を表示せず、且つＳＩＰサーバー１００へのログイン処理を実行せずに発信端末の識別情報やメンバー識別情報に基づいて着信履歴を更新する。
【０１２９】
なお、図１４に示すように、Ｓ４０５では、無線通信端末３００は、メンバー識別情報のうちの拒否リスト情報に含まれている識別情報（図中の×印の箇所を参照）と、メンバー識別情報のうちの拒否リスト情報に含まれていない識別情報（図中の○印の箇所を参照）とを区別して表示する。
【０１３０】
かかる特徴によれば、無線通信端末３００は、ＳＭＳサーバー２００から起動メッセージを受信してから、グループ通話に拒否対象者が含まれることとなった場合には、ＳＩＰサーバー１００への不必要なログイン処理を実行しないようにすることもできる。
【０１３１】
なお、第１実施形態及び第２実施形態では、通信プロトコルとしてＳＩＰを用いる場合について説明したが、本発明は、かかる場合に限定されることはなく、第１実施形態及び第２実施形態の動作を実現することができる他の通信プロトコルがあれば、当該他の通信プロトコルを用いた場合にも適用可能である。
【０１３２】
また、図１１に示す情報表示処理２及び図１２に示す情報表示処理３では、ＳＭＳサーバー２００から受信した起動メッセージに含まれている識別情報が用いられているが、これに限定される分けではなく、ＳＩＰサーバー１００から受信した第２呼出要求に含まれいる識別情報が用いられてもよい。この場合には、ログイン処理に代わって、ＳＩＰサーバー１００と無線通信端末との間の通信路を切断する切断処理が実行される。
【０１３３】
以上、本発明の一例を説明したが、具体例を例示したに過ぎず、特に本発明を限定するものではなく、各部の具体的構成等は、適宜設計変更可能である。また、各実施形態の構成及び各変更例の構成もそれぞれ組み合わせることが可能である。また、各実施形態及び各変更例の作用及び効果は、本発明から生じる最も好適な作用及び効果を列挙したに過ぎず、本発明による作用及び効果は、各実施形態及び各変更例に記載されたものに限定されるものではない。
【図面の簡単な説明】
【０１３４】
【図１】第１実施形態に係る通信システムの概略構成図である。
【図２】第１実施形態に係るＳＩＰサーバーの内部構成図である。
【図３】第１実施形態に係るＳＭＳサーバーの内部構成図である。
【図４】第１実施形態に係る無線通信端末の内部構成図である。
【図５】第１実施形態に係る通信方法を示すフロー図である。
【図６】第１実施形態に係る通信方法を示すフロー図である。
【図７】第１実施形態に係るメンバー識別情報の内容を示す図である。
【図８】第１実施形態に係るグループ通話着信画面の内容を示す図である。
【図９】第１実施形態に係るグループ通話着信画面の内容を示す図である。
【図１０】第１実施形態に係るグループ通話着信画面の内容を示す図である。
【図１１】第２実施形態に係る情報表示処理を示すフロー図である。
【図１２】変更例に係る情報表示処理を示すフロー図である。
【図１３】変更例に係るグループ通話着信画面の内容を示す図である。
【図１４】変更例に係るグループ通話着信画面の内容を示す図である。
【符号の説明】
【０１３５】
１００…ＳＩＰサーバー、１０１…ログイン処理部、１０３…呼出要求受信部、１０５…メンバー情報管理部、１０７…呼出要求生成部、１０９…呼出要求送信部、２００…ＳＭＳサーバー、２０１…情報受信部、２０３…起動メッセージ送信部、３００…無線通信端末、３０１…通信処理部、３０２…スピーカー、３０３…マイクロホン、３０４…カメラ、３０５…情報表示部、３０６…音声変調／復調部、３０７…画像変調／復調部、３０８…記憶部、４００…無線パケットネットワーク
【図１】
0004693641.tif 000002
【図２】
0004693641.tif 000003
【図３】
0004693641.tif 000004
【図４】
0004693641.tif 000005
【図５】
0004693641.tif 000006
【図６】
0004693641.tif 000007
【図７】
0004693641.tif 000008
【図８】
0004693641.tif 000009
【図９】
0004693641.tif 000010
【図１０】
0004693641.tif 000011
【図１１】
0004693641.tif 000012
【図１２】
0004693641.tif 000013
【図１３】
0004693641.tif 000014
【図１４】
0004693641.tif 000015